Podtech/llm-jp-corpus-v4-ja_patent huggingface dataset:
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
前面が開放された筐体と、該筐体の前面を覆う前面扉とを備え、
前記筐体内には、複数種の絵柄が周方向に付された複数の無端状ベルトと、これら各無端状ベルトを回転駆動させる駆動手段と、その駆動手段を制御する制御手段とを配置し、
前記前面扉には、前記各無端状ベルトの一部の絵柄を外部より視認可能とするための表示窓を設けるとともに、表示窓の下方に前記無端状ベルトを回転駆動させるべく操作される始動操作手段を含む遊技進行の際に操作される各種操作手段群が配置される操作領域を設けた遊技機において、
前記操作領域を前記前面扉から前方へ突出するように構成されたテーブル部上に形成し、
該テーブル部の一部に、遊技の進行に伴って発光制御されるランプ部を設けたことを特徴とする遊技機。
【請求項２】
前記ランプ部を前記テーブル部の幅方向中央部に設けた請求項１に記載の遊技機。
【請求項３】
前記ランプ部を前記テーブル部の前方突出端に設けることにより、左右方向から前記ランプ部の発光を確認可能とした請求項２に記載の遊技機。
【請求項４】
前記テーブル部を中央ほど前方へ突出する凸形状とし、その頂部を前記ランプ部のレンズ部で構成した請求項１乃至３のいずれか１項に記載の遊技機。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
遊技機前方に開放された筐体の前面開口部に、該筐体の壁板部の前端面と当接するようにして扉体を設け、
前記筐体内には、絵柄を変動表示する絵柄表示装置と該絵柄表示装置を囲むように設けられる枠体とを有してなる表示ユニットを着脱自在に装着した遊技機において、
前記枠体を、前記筐体の壁板部の少なくとも一面に沿うようにして配置し、
前記枠体における前記筐体の壁板部に沿う部分に、該壁板部の前端面よりも遊技機前方に延び、前記扉体の周縁部の内側に位置する延出部を一体成形したことを特徴とする遊技機。
【請求項２】
前記延出部は、前記筐体の壁板部の前端面よりも遊技機前方に延びる部位と、この遊技機前方へと延びる部位に連続形成されて前記筐体の壁板部の前端面に当接する部位とを有することを特徴とする請求項１に記載の遊技機。
【請求項３】
前記枠体を前記筐体の上側及び左右両側の各壁板部に沿うようにして設け、前記枠体の上枠部の全体に渡って前記延出部を設けたことを特徴とする請求項１又は２に記載の遊技機。
【請求項４】
前記枠体には前記上枠部と前記絵柄表示装置との間に、該絵柄表示装置による表示制御や入賞判定を実施する制御装置を配設したことを特徴とする請求項３に記載の遊技機。
【請求項５】
前記枠体の左右の枠部には、それぞれその全体に渡って前記筐体の前端面よりも遊技機前方に突出した支持部材を配設し、前記扉体は左右何れか一方の支持部材を軸中心として開閉する構成とし、他方の支持部材及び前記扉体に設けた施錠部材により前記扉体が閉じた状態において施錠されるようにしたことを特徴とする請求項３又は４に記載の遊技機。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
電圧が印加されると伸縮する電気機械変換素子と、
前記電気機械変換素子の伸縮方向一端に固定された駆動摩擦部材と、
前記駆動摩擦部材に摩擦力で係合し、伸縮する前記電気機械変換素子によって振動する  
前記駆動摩擦部材に沿って駆動される可動部材と、
前記電気機械変換素子に電圧を印加する駆動回路とを備え、
前記駆動回路は、前記可動部材が高速駆動と低速駆動の間で切り替わるように、前記電気機械変換素子に印加する電圧の波形を変更することを特徴とする駆動装置。
【請求項２】
前記可動部材の高速駆動時の電圧波形は矩形状パルス波形であり、前記可動部材の低速駆動時の電圧波形は階段状パルス波形であることを特徴とする請求項１に記載の駆動装置。
【請求項３】
前記可動部材の低速駆動時の電圧は前記可動部材の高速駆動時の電圧よりも低周波数であることを特徴とする請求項２に記載の駆動装置。
【請求項４】
前記可動部材の高速駆動と低速駆動との切り替えのタイミングは、前記可動部材の位置を検出する位置センサの出力に基づいて決定されることを特徴とする請求項１ないし３のいずれかに記載の駆動装置。
【手続補正２】
【補正対象書類名】明細書
【補正対象項目名】００１４
【補正方法】変更
【補正の内容】
【００１４】
前記課題を解決するために、本発明の駆動装置は、電圧が印加されると伸縮する電気機械変換素子と、
前記電気機械変換素子の伸縮方向一端に固定された駆動摩擦部材と、
前記駆動摩擦部材に摩擦力で係合し、伸縮する前記電気機械変換素子によって振動する前記駆動摩擦部材に沿って駆動される可動部材と、
前記電気機械変換素子に電圧を印加する駆動回路とを備え、
前記駆動回路は、前記可動部材が高速駆動と低速駆動との間で切り替わるように、前記電気機械変換素子に印加する電圧の波形を変更することを特徴とするものである。
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
遊技機本体より遊技者に払い出されるメダルを貯留するメダル受皿を備えた遊技機において、
前記メダル受皿の下部に設けられ前記メダルを収容する収容箱を保持する保持部と、
前記メダル受皿から前記収容箱へメダルを排出する排出口とを備え、
前記保持部は、前記メダル受け皿から下へ突出した形状を有し、前記収容箱が備える取っ手の両端を保持することで前記メダル受け皿下部に前記収容箱を装着させると共に、折りたたみ可能としたことを特徴とする遊技機。
【請求項２】
前記排出口は、前記排出口を開閉させると共に前後に移動自在な開閉板を備え、前記開閉板は、前記収容箱を前記メダル受け皿下部に装着させると同時に前記収容箱が前記開閉板を前記遊技機本体側へ押し込むことで排出口が開くようにし、
前記開閉板は、該開閉板に対して鉛直下方向に突起した突起部を備え、前記収容箱を前記メダル受け皿下部に装着させる際に、前記収容箱が前記突起部に接触し、前記突起部を遊技機本体側へ押し込むことで前記開閉板が移動することを特徴とする請求項１記載の遊技機。
【請求項３】
前記排出口は、前記排出口を開閉させると共に遊技機本体に対して左右自在に可動する開閉板と、該開閉板に連結し左右に可動するレバーとを備え、前記レバーを左右に可動させることで、前記開閉板が左右に可動して排出口を開閉させるようにすると共に、遊技機本体に対して左右自在に可動する開閉板と、該開閉板に連結し左右に可動するレバーと、前記開閉板の可動をロックするロック部材とを備え、
前記収容箱を前記保持部に保持させる時に、前記収容箱が前記開閉板の可動のロックを解除することを特徴とする請求項１記載の遊技機。
【請求項４】
前記排出口は、前記排出口を開閉させると共に遊技機本体に対して左右自在に可動する開閉板と、該開閉板に連結し左右に可動するレバーと、前記開閉板の可動をロックするロック部材とを備え、
前記収容箱を前記保持部に保持させる時に、前記収容箱が前記開閉板の可動のロックを解除することを特徴とする請求項１記載の遊技機。
【手続補正２】
【補正対象書類名】明細書
【補正対象項目名】０００６
【補正方法】変更
【補正の内容】
【０００６】
上記目的を達成するために、請求項１記載の遊技機は、遊技機本体より遊技者に払い出されるメダルを貯留するメダル受皿を備えた遊技機において、メダル受皿の下部に設けられメダルを収容する収容箱を保持する保持部と、メダル受皿から収容箱へメダルを排出する排出口とを備え、保持部は、メダル受け皿から下へ突出した形状を有し、収容箱が備える取っ手の両端を保持することでメダル受け皿下部に収容箱を装着させると共に、折りたたみ可能とした遊技機。
【手続補正３】
【補正対象書類名】明細書
【補正対象項目名】０００７
【補正方法】変更
【補正の内容】
【０００７】
請求項２記載の発明は、請求項１記載の遊技機であって、排出口は、排出口を開閉させると共に前後に移動自在な開閉板を備え、開閉板は、収容箱をメダル受け皿下部に装着させると同時に収容箱が開閉板を遊技機本体側へ押し込むことで排出口が開くようにし、開閉板は、開閉板に対して鉛直下方向に突起した突起部を備え、収容箱をメダル受け皿下部に装着させる際に、収容箱が突起部に接触し、突起部を遊技機本体側へ押し込むことで開閉板が移動することを特徴とする。
【手続補正４】
【補正対象書類名】明細書
【補正対象項目名】０００８
【補正方法】変更
【補正の内容】
【０００８】
請求項３記載の発明は、請求項１記載の遊技機であって、排出口は、排出口を開閉させると共に遊技機本体に対して左右自在に可動する開閉板と、開閉板に連結し左右に可動するレバーとを備え、レバーを左右に可動させることで、開閉板が左右に可動して排出口を開閉させるようにすると共に、遊技機本体に対して左右自在に可動する開閉板と、開閉板に連結し左右に可動するレバーと、開閉板の可動をロックするロック部材とを備え、収容箱を保持部に保持させる時に、収容箱が開閉板の可動のロックを解除することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項４記載の発明は、請求項１記載の遊技機であって、排出口は、排出口を開閉させると共に遊技機本体に対して左右自在に可動する開閉板と、開閉板に連結し左右に可動するレバーと、開閉板の可動をロックするロック部材とを備え、収容箱を保持部に保持させる時に、収容箱が開閉板の可動のロックを解除することを特徴とする。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
被検体内に導入される送信装置から送信される被検体内情報を含む無線信号を受信するアンテナが設けられ、前記無線信号を受信して復調信号を得るための復調処理を行う無線ユニットと、
この無線ユニットと着脱可能であって、前記復調信号から前記被検体内情報を得るための処理を行う受信器本体ユニットと、
を備えたことを特徴とする受信装置。
【請求項２】
前記無線ユニットと前記アンテナとが一体的に接続されていることを特徴とする請求項１に記載の受信装置。
【請求項３】
前記無線ユニットが、受信強度検出機能を有することを特徴とする請求項１または２に記載の受信装置。
【請求項４】
前記無線ユニットが、復調信号を２値化処理及び同期検出処理を行う機能を有することを特徴とする請求項１〜３のいずれか一つに記載の受信装置。
【請求項５】
前記無線ユニットが、前記受信強度信号をＡＤ変換する機能を有することを特徴とする請求項３または４に記載の受信装置。
【請求項６】
前記受信器本体ユニットが、前記受信強度検出機能によって検出された受信強度信号をもとに受信する前記アンテナを選択する受信アンテナ選択部を有することを特徴とする請求項３に記載の受信装置。
【請求項７】
前記無線ユニットと前記受信器本体ユニットとの間の信号は、非接触で伝送されることを特徴とする請求項１に記載の受信装置。
【請求項８】
前記無線ユニットと前記受信器本体ユニットとのうち、信号の送信側が発光ダイオードを、信号の受信側が前記発光ダイオードとフォトカプラを形成するフォトダイオードを備えることを特徴とする請求項７に記載の受信装置。
【請求項９】
前記受信器本体ユニットから前記無線ユニットへの電力伝送は、非接触で行われることを特徴とする請求項１に記載の受信装置。
【請求項１０】
前記無線ユニットと前記受信器本体ユニットは、それぞれトランスを備え、該トランスを介して非接触の電力伝送を行うことを特徴とする請求項９に記載の受信装置。
【手続補正２】
【補正対象書類名】明細書
【補正対象項目名】００２４
【補正方法】変更
【補正の内容】
【００２４】
受信装置２において、２値化部１２ｂから出力される２値化信号Ｓ１は、発光ダイオード２０ａとフォトダイオード２０ｂとによって形成されるフォトカプラによって信号処理部１１ａに伝送され、同期検出部１３ｂから出力される同期検出信号Ｓ２は発光ダイオード２０ｃとフォトダイオード２０ｄとによって形成されるフォトカプラによって信号処理部１１ａに伝送される。また、Ａ／Ｄ変換部１７ｂは、受信強度検出部１４ｂで検出された検出信号をデジタル信号Ｓ６に変換し、このデジタル信号Ｓ６は、発光ダイオード２０ｅとフォトダイオード２０ｆとによって形成されるフォトカプラによって制御部１０ａに伝送される。また、制御部１０ａ内のアンテナ選択部１００から出力された切替信号Ｓ４は、発光ダイオード２０ｈとフォトダイオード２０ｇとによって形成されるフォトカプラによってアンテナ切替部１０ｂに伝送される。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
遊技者による操作に応じて、単位遊技の開始を指令する遊技開始指令信号を出力する遊技開始指令手段と、
図柄を変動表示可能な複数の変動表示部を有する変動表示手段と、
前記複数の変動表示部夫々に対応して設けられ、遊技者による操作に応じて、対応する変動表示部における図柄の変動表示の停止を指令する停止指令信号を出力する停止指令手段と、
前記遊技開始指令信号を検出したことに基づいて当選役を決定する当選役決定手段と、
前記変動表示の停止を制御するための情報である停止制御情報を格納する停止制御情報格納手段と、
前記当選役決定手段の決定結果に基づいて、前記停止制御情報格納手段に格納された停止制御情報のうちから前記変動表示の停止の制御に用いる停止制御情報を決定する停止制御情報決定手段と、
前記停止指令信号を検出したことに基づいて、当該停止指令信号に対応する変動表示部の変動表示を、前記停止制御情報決定手段により決定された停止制御情報に基づいて停止させる停止制御手段と、
を備え、
前記停止制御情報格納手段に格納された停止制御情報は、第１の図柄組合せを停止表示可能に構成した第１の停止制御情報と、前記第１の図柄組合せとは異なる第２の図柄組合せを停止表示可能に構成した第２の停止制御情報とを含み、
前記停止制御情報決定手段は、前記当選役決定手段が特定の役を当選役と決定し、前記複数の変動表示部夫々に対応して設けられた停止指令手段が特定の順番で停止指令信号を出力した場合に、特定の変動表示部に対応して設けられた停止指令手段により出力された停止指令信号を検出したタイミングが第１のタイミングであれば前記第１の停止制御情報を決定し、前記タイミングが前記第１のタイミングとは異なる第２のタイミングであれば前記第２の停止制御情報を決定することを特徴とする遊技機。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
郵便差出箱の前面に形成された差入凹部及び差入孔に対応して取り付けられる差入口案内板であって、
前記差入孔に対応した差入口を含む口枠部と、
前記差入口の縦横寸法は、特定小包の寸法に合わせて設定されることと、
前記口枠部の上端から前方へ延びる庇板部と、
前記口枠部の下端から下方へ斜めに延びる傾斜板部と、
前記傾斜板部の下端縁を屈曲してなる屈曲縁部と、
前記屈曲縁部に設けられた第１の固定手段と、
前記庇板部に設けられた第２の固定手段と
を備えたことを特徴とする郵便差出箱の差入口案内板。
【請求項２】
郵便差出箱の前面に形成された差入凹部及び差入孔に対応して取り付けられる差入口案内板であって、
前記差入孔に対応した差入口を含む口枠部と、
前記差入口の縦横寸法は、特定小包の寸法に合わせて設定されることと、
前記口枠部の上端から前方へ延びる庇板部と、
前記口枠部の下端から下方へ斜めに延びる傾斜板部と、
前記傾斜板部の下端縁を屈曲してなる屈曲縁部と、
前記屈曲縁部に設けられた第１の固定手段と、
前記庇板部に設けられた第２の固定手段と
を備え、前記差入口案内板を前記差入凹部及び前記差入孔に対応して配置して、前記屈曲縁部を前記第１の固定手段により前記郵便差出箱に固定すると共に、前記庇板部を前記第２の固定手段により前記郵便差出箱に固定することにより前記差入口案内板を前記郵便差出箱に固定することを特徴とする郵便差出箱の差入口案内板。
【請求項３】
前記第１の固定手段は、前記屈曲縁部の裏側に設けられる複数組のボルトとナットであり、前記第２の固定手段は、前記庇板部に形成される複数の穴及びそれらの穴に挿通される複数のネジであることを特徴とする請求項１又は２に記載の郵便差出箱の差入口案内板。
【請求項４】
前記第１の固定手段は、前記屈曲縁部の裏側に設けられる複数組のボルトとナットであり、前記第２の固定手段は、前記庇板部に形成される複数のばか穴、それらのばか穴に挿通される複数のネジ及び前記庇板部と前記各ネジとの間に介在する当板であることを特徴とする請求項１又は２に記載の郵便差出箱の差入口案内板。
【請求項５】
前記庇板部の左右両側縁のうち少なくとも一方が、先端へ向けて内側へ傾斜する傾斜縁をなすと共に、前記傾斜板部及び前記屈曲縁部の左右両側縁のうち少なくとも一方が、前記傾斜板部から前記屈曲縁部にかけて先端へ向けて内側へ傾斜する傾斜縁をなすことを特徴とする請求項４に記載の郵便差出箱の差入口案内板。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
（ａ）第１通信端末装置と第２通信端末装置とに接続され、それぞれの通信端末装置と通信を行う画像形成装置であって、
（ｂ）前記第１通信端末装置及び第２通信端末装置と画像情報の通信を行うための第１通信条件と、前記第１通信端末装置と特定情報の通信を行うための第２通信条件とを格納した通信条件格納部と、
（ｃ）電源投入後に前記通信条件格納部から前記第１通信条件を読み出し設定するとともに、前記第１通信端末装置と特定情報の通信を行うとき、前記通信条件格納部から前記第２通信条件を読み出し設定して前記第２通信端末装置との通信を禁止する通信部とを有することを特徴とする画像形成装置。
【請求項２】
（ａ）複数のアクセスポイントの中から選択された一のアクセスポイントを介して外部装置と通信を行う通信部を有し、該通信部を介して入力された画像情報に基づいて画像を形成する画像形成装置であって、
（ｂ）前記複数のアクセスポイントの各々に対応し、異なる認証条件を含む通信条件を記憶する記憶部と、
（ｃ）該記憶部に記憶された通信条件の中から、前記一のアクセスポイントに対応する通信条件を選択する選択部とを有し、
（ｄ）前記通信部は、前記選択部によって選択された通信条件に基づき、前記一のアクセスポイントを介して通信を行うことを特徴とする画像形成装置。
【請求項３】
（ａ）複数のアクセスポイントの中から選択された一のアクセスポイントを介して外部装置と通信を行う通信部を有し、該通信部を介して入力された画像情報に基づいて画像を形成する画像形成装置であって、
（ｂ）前記複数のアクセスポイントの各々に対応し、異なる符号化条件を含む通信条件を記憶する記憶部と、
（ｃ）該記憶部に記憶された通信条件の中から、前記一のアクセスポイントに対応する通信条件を選択する選択部とを有し、
（ｄ）前記通信部は、前記選択部によって選択された通信条件に基づき、前記一のアクセスポイントを介して通信を行うことを特徴とする画像形成装置。
【請求項４】
（ａ）あらかじめ定められた期間か否かを判定する期間判定手段を更に有し、
（ｂ）前記選択部は、前記期間判定手段による判定結果に応じて異なる通信条件を選択する請求項２又は３に記載の画像形成装置。
【請求項５】
（ａ）前記画像形成装置の装置状態を検出する装置状態検出手段を更に有し、
（ｂ）前記記憶部は検出される装置状態と通信条件とを対応付けて記憶し、
（ｃ）前記選択部は、前記記憶部に記憶された通信条件の中から、検出された装置状態に対応した通信条件を選択する請求項２〜４のいずれか１項に記載の画像形成装置。
【請求項６】
前記通信条件は、ネットワーク識別子、通信チャネル番号、認証方式及び暗号化方式の中の１つ以上を含む請求項２〜５のいずれか１項に記載の画像形成装置。
【手続補正２】
【補正対象書類名】明細書
【補正対象項目名】０００６
【補正方法】変更
【補正の内容】
【０００６】
そのために、本発明の画像形成装置においては、第１通信端末装置と第２通信端末装置とに接続され、それぞれの通信端末装置と通信を行う画像形成装置であって、前記第１通信端末装置及び第２通信端末装置と画像情報の通信を行うための第１通信条件と、前記第１通信端末装置と特定情報の通信を行うための第２通信条件とを格納した通信条件格納部と、電源投入後に前記通信条件格納部から前記第１通信条件を読み出し設定するとともに、前記第１通信端末装置と特定情報の通信を行うとき、前記通信条件格納部から前記第２通信条件を読み出し設定して前記第２通信端末装置との通信を禁止する通信部とを有する。
【手続補正書】
【提出日】平成19年6月15日(2007.6.15)
【手続補正１】
【補正対象書類名】明細書
【補正対象項目名】００１２
【補正方法】変更
【補正の内容】
【００１２】
まず、本発明のシート材切断装置の基本構成について説明する。
本発明のシート材切断装置は、シート材幅方向に延長された固定刃刃先に沿って可動刃を移動させてシート材を切断するシート材切断装置であって、可動刃を保持してシート材幅方向を移動するキャリッジと、シート材の導入部に該シート材の一面をガイドする用紙ガイドと、該シート材を前記用紙ガイド間で押さえる押さえ装置を有することを基本構成とする。
本発明においてこの基本構成を対象としたのは、シート材切断装置には様々な形態が知られているが、シート材幅方向に延長された固定刃刃先に沿って可動刃を移動させてシート材を切断するシート材切断装置においては、シート材を一方向から切断していくため、シート材をねじる方向にかかる力が大きく、シート材を確実に押さえることが大きな課題であるからである。
【手続補正書】
【提出日】平成19年4月26日(2007.4.26)
【手続補正１】
【補正対象書類名】明細書
【補正対象項目名】００２４
【補正方法】変更
【補正の内容】
【００２４】
以下、詳しく説明する。
本発明の基本構成は、シート材を切断する可動刃と、駆動装置に連結され正逆両方向に回転動作するホイールと、ホイールの回転軸から所定の間隔位置に設置した駆動ピンと、該駆動ピンの回転運動を可動刃の切断および離間の実質的な直線運動に変換するカム機構を有するシート材切断装置である。つまり、ホイールの回転軸から所定の間隔位置に設置した駆動ピンを駆動力として、可動刃を駆動するものである。
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
複数のデータ対線と、
ワード線と、
第１給電ノードと、第２給電ノードと、第１記憶ノードと、第２記憶ノードと、ドレインがそれぞれ前記第１記憶ノード及び前記第２記憶ノードと接続され、ゲートとドレインとが互いに交差結合されたＭＯＳトランジスタとを含む複数のスタティックメモリセルと、
前記複数のスタティックメモリセルの前記第１給電ノードが接続される第１給電線と、 前記複数のスタティックメモリセルの前記第２給電ノードが接続される第２給電線とを有し、
前記スタティックメモリセルの前記第１記憶ノード及び前記第２記憶ノードは、前記ワード線によって制御される転送トランジスタを介して前記複数のデータ対線のいずれかと接続され、
選択状態とされた前記スタティックメモリセルの前記第１記憶ノードと前記第２記憶ノードとの間の電位差は、非選択状態の前記スタティックメモリセルの前記第１記憶ノードと前記第２記憶ノードとの電位差よりも小さい半導体装置。
【請求項２】
請求項１において、
前記スタティックメモリセルの読み出しまたは書き込みのための周辺回路を有し、
前記周辺回路に用いられるＭＯＳトランジスタのしきい値電圧の絶対値は、前記スタティックメモリセルの前記交差結合されたＭＯＳトランジスタのしきい値電圧の絶対値よりも小さい半導体装置。
【請求項３】
請求項１または２において、
前記選択状態とされたスタティックメモリセルに対して書き込みが行われる半導体装置。
【請求項４】
請求項３において、
前記スタティックメモリセルの書き込み時に、当該スタティックメモリセルに接続される前記データ対線に印加される最大電圧は、当該スタティックメモリセルが非選択状態において前記第１給電ノード及び前記第２給電ノードに印加される電圧よりも小さい半導体装置。
【請求項５】
請求項３において、
前記スタティックメモリセルの書き込み時に、当該スタティックメモリセルに接続された前記データ対線に印加された電圧が、前記転送トランジスタを介して当該スタティックメモリの前記第１記憶ノード及び前記第２記憶ノードに印加され、前記ワード線により前記転送トランジスタが非導通状態とされた後に、前記データ対線に印加される最大電圧よりも大きい電圧が前記スタティックメモリセルの前記第１給電ノード及び前記第２給電ノードに印加される半導体装置。
【手続補正書】
【提出日】平成19年8月23日(2007.8.23)
【手続補正１】
【補正対象書類名】明細書
【補正対象項目名】００３６
【補正方法】変更
【補正の内容】
【００３６】
カソード層５３の材料も、やはり公知のものを使用することができ、例えば、ストロンチウム（Ｓｒ）が添加されたランタン等の周期律表第３族元素のマンガン酸化合物（例えばランタンストロンチウムマンガナイト）、ガリウム酸化合物、又はコバルト酸化合物（例えばランタンストロンチウムコバルタイト、サマリウムストロンチウムコバルタイト）等が挙げられる。
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
電極基板から形成された所定形状の正極電極板を有する電池の製造方法であって、
上記電池を構成する前の段階において、被検物である前記電極基板または前記正極電極板にＸ線を照射して透過像を取得し、その透過像に基づいて、正極電位で溶解し負極電位で析出する金属からなる金属不純物粒子が、前記被検物に存在するか否かを検知する不純物検知工程を備える
電池の製造方法。
【請求項２】
請求項１に記載の電池の製造方法であって、
前記不純物検知工程は、粒径が１５０μｍ以上の前記金属不純物粒子の存否を検知可能なＸ線透視検査装置を用いて行う
電池の製造方法。
【請求項３】
請求項１または請求項２に記載の電池の製造方法であって、
前記不純物検知工程は、カラーＸ線イメージインテンシファイアを有するＸ線透視検査装置を用いて、前記透過像をカラー画像として表示し、前記金属不純物粒子の存否を検知する
電池の製造方法。
【請求項４】
請求項１〜請求項３のいずれか一項に記載の電池の製造方法であって、
前記不純物検知工程は、前記電極基板を前記被検物とし、
前記不純物検知工程において、前記電極基板に前記金属不純物粒子の存在が検知された場合に、粒子存在部分を示すマーキングを前記電極基板に施すマーキング工程を備える
電池の製造方法。
【請求項５】
請求項１〜請求項４のいずれか一項に記載の電池の製造方法であって、
前記不純物検知工程は、前記被検物を複数枚重ねて、複数枚同時に前記金属不純物粒子の存否を検知する
電池の製造方法。
【請求項６】
請求項５に記載の電池の製造方法であって、
前記不純物検知工程は、前記電極基板を前記被検物として、これを複数枚重ねて行い、
前記不純物検知工程において、複数枚重ねた前記電極基板のいずれかに前記金属不純物粒子の存在が検知された場合に、粒子存在部分を示すマーキングを、複数枚重ねた前記電極基板の少なくともいずれかに施すマーキング工程と、
複数枚重ねた前記電極基板のうち、いずれの電極基板に前記金属不純物粒子が存在しているのかを確認することなく、前記マーキングに基づき、複数枚の前記電極基板すべてについて該当部分を排除する排除工程と、
を備える電池の製造方法。
【請求項７】
電池の正極電極板に利用される電極基板の製造方法であって、
電極基板にＸ線を照射して透過像を取得し、その透過像に基づいて、前記電池を構成したときに正極電位で溶解し負極電位で析出する金属からなる金属不純物粒子が、前記電極基板に存在するか否かを検知する不純物検知工程を備える
電極基板の製造方法。
【請求項８】
請求項７に記載の電極基板の製造方法であって、
前記不純物検知工程は、粒径が１５０μｍ以上の前記金属不純物粒子の存否を検知可能なＸ線透視検査装置を用いて行う
電極基板の製造方法。
【請求項９】
請求項７または請求項８に記載の電極基板の製造方法であって、
前記不純物検知工程は、カラーＸ線イメージインテンシファイアを有するＸ線透視検査装置を用いて、前記透過像をカラー画像として表示し、前記金属不純物粒子の存否を検知する
電極基板の製造方法。
【請求項１０】
請求項７〜請求項９のいずれか一項に記載の電極基板の製造方法であって、
前記不純物検知工程は、前記電極基板を複数枚重ねて、複数枚同時に前記金属不純物粒子の存否を検知する
電極基板の製造方法。
【請求項１１】
請求項７〜請求項１０のいずれか一項に記載の電極基板の製造方法であって、
前記不純物検知工程において前記電極基板に前記金属不純物粒子の存在が検知された場合に、粒子存在部分を示すマーキングを前記電極基板に施すマーキング工程を備える
電極基板の製造方法。
【手続補正２】
【補正対象書類名】明細書
【補正対象項目名】０００７
【補正方法】変更
【補正の内容】
【０００７】
その解決手段は、電極基板から形成された所定形状の正極電極板を有する電池の製造方法であって、上記電池を構成する前の段階において、被検物である前記電極基板または前記正極電極板にＸ線を照射して透過像を取得し、その透過像に基づいて、正極電位で溶解し負極電位で析出する金属からなる金属不純物粒子が、前記被検物に存在するか否かを検知する不純物検知工程を備える電池の製造方法である。
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
第１金属の間に前記第１金属よりも硬度の大きい第２金属を挟んだ積層構造の一部に凹部を形成し前記第２金属のない領域を設けた底板と、この底板の前記第２金属のない領域に配置した半導体素子とを具備したことを特徴とする半導体装置。
【請求項２】
前記底板上に形成した金属製の側壁と、この側壁を貫通する金属リードと、前記側壁及び前記金属リードが接触しないように設けられる絶縁体とを設けたことを特徴とする請求項１に記載の半導体装置。
【請求項３】
前記底板の積層構造は２つの第１金属の間に第２金属を挟んだ３層構造で、前記２つの第１金属は厚さが同じであることを特徴とする請求項１に記載の半導体装置。
【請求項４】
前記半導体素子を絶縁体で覆い、この絶縁体で覆った半導体素子と前記凹部との隙間に金属を充填したことを特徴とする請求項１に記載の半導体装置。
【手続補正２】
【補正対象書類名】明細書
【補正対象項目名】００１６
【補正方法】変更
【補正の内容】
【００１６】
本発明の半導体装置は、第１金属の間に前記第１金属よりも硬度の大きい第２金属を挟んだ積層構造の一部に凹部を形成し前記第２金属のない領域を設けた底板と、この底板の前記第２金属のない領域に配置した半導体素子とを具備したことを特徴とする。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
第１の方向に延在して第１の方向と交差する第２の方向に並設された多数の第１電極と、前記第１電極を覆って形成された絶縁膜と、前記絶縁膜上で前記第２の方向に延在して前記第１の方向に並設された多数の第２電極と、前記第１電極と前記第２電極との交差部に設けられた電子源を有する多数の画素とを備えた表示領域を背面基板上に形成した背面パネルと、
前記背面パネルの前記表示領域に有する前記電子源から取り出される電子の励起で発光する複数色の蛍光体層と第３電極とを前面基板に形成した前面パネルと、
前記背面パネルと前記前面パネルとの周辺部に封着部材を介在させて両パネルを気密封止する封止枠と、
を備え、
前記封止枠は、前記背面パネルと前記前面パネルとに接する接着面に断面が凹状となる
窪みを一体的に設けたことを特徴とする自発光平面表示装置。
【請求項２】
前記封止枠は、酸化珪素を主成分とし、Ｌａ、Ｓｃ、Ｙ、Ｃｅ、Ｐｒ、Ｎｄ、Ｐｍ、Ｓ
ｍ、Ｅｕ、Ｇｄ、Ｔｂ、Ｄｙ、Ｈｏ、Ｅｒ、Ｔｍ、Ｙｂ、Ｌｕより選ばれた少なくとも一
種の希土類酸化物を１〜２０重量％含有したガラス材からなることを特徴とする請求項１に記載の自発光平面表示装置。
【請求項３】
前記封止枠は、複数の封止枠片により構成され、且つ当該封止枠片相互は接合部材を介して気密接合されていることを特徴とする請求項１または請求項２の何れかに記載の自発光平面表示装置。
【請求項４】
前記封着部材は、Ｐｂ系フリットガラス及びＶ系フリットガラスの群から選ばれた何れか一つを主成分とすることを特徴とする請求項１乃至請求項３の何れかに記載の自発光平面表示装置。
【請求項５】
前記接合部材は、Ｐｂ系降フリットガラス及びＶ系フリットガラスの群から選ばれた何れか一つを主成分とすることを特徴とする請求項１乃至請求項４の何れかに記載の自発光平面表示装置。
【請求項６】
前記接合部材は、前記封着部材より軟化温度が高いことを特徴とする請求項４または請求項５に記載の自発光平面表示装置。
【請求項７】
第１の方向に延在して第１の方向と交差する第２の方向に並設された多数の第１電極と、前記第１電極を覆って形成された絶縁膜と、前記絶縁膜上で前記第２の方向に延在して前記第１の方向に並設された多数の第２電極と、前記第１電極と前記第２電極との交差部に設けられた電子源を有する多数の画素とを備えた表示領域を背面基板上に形成した背面パネルと、
前記背面パネルの前記表示領域に有する前記電子源から取り出される電子の励起で発光する複数色の蛍光体層と第３電極とを前面基板に形成した前面パネルと、
前記背面パネルと前記前面パネルとの周辺部に封着部材を介在させて両パネルを気密封止する封止枠と、
を備えた自発光平面表示装置の製造方法において、
前記封止枠は、前記背面パネルと前記前面パネルとに接する接着面に断面が凹状となる窪みを一体的に形成し、前記窪み内に封着部材を塗布した後、前記背面パネルと前記前面パネルとの間に介挿させ、前記封着部材を介して気密封着することを特徴とする自発光平面表示装置の製造方法。
【請求項８】
前記封止枠は、酸化珪素を主成分とし、Ｌａ、Ｓｃ、Ｙ、Ｃｅ、Ｐｒ、Ｎｄ、Ｐｍ、Ｓ
ｍ、Ｅｕ、Ｇｄ、Ｔｂ、Ｄｙ、Ｈｏ、Ｅｒ、Ｔｍ、Ｙｂ、Ｌｕより選ばれた少なくとも一
種の希土類酸化物を１〜２０重量％含有したガラス材からなることを特徴とする請求項７に記載の自発光平面表示装置の製造方法。
【請求項９】
前記封止枠は、複数の封止枠片により構成され、且つ当該封止枠相互は接合部材を介し
て気密接合することを特徴とする請求項７または請求項８の何れかに記載の自発光平面表示装置の製造方法。
【請求項１０】
前記封着部材は、Ｐｂ系フリットガラス及びＶ系フリットガラスの群から選ばれた何れ
か一つを主成分とするフリットガラスを用いることを特徴とする請求項７乃至請求項９の何れかに記載の自発光平面表示装置の製造方法。
【請求項１１】
前記接合部材は、Ｐｂ系フリットガラス及びＶ系フリットガラスの群から選ばれた何れ
か一つを主成分とするフリットガラスを用いることを特徴とする請求項7乃至請求項１０の何れかに記載の自発光平面表示装置の製造方法。
【請求項１２】
前記接合部材は、前記封着部材より軟化温度が高いことを特徴とする請求項１０または
請求項１１の何れかに記載の自発光平面表示装置の製造方法。
【手続補正２】
【補正対象書類名】明細書
【補正対象項目名】００１９
【補正方法】変更
【補正の内容】
【００１９】
本発明によるさらに他の自発光平面表示装置は、上記構成において、好ましくは、封止枠の四隅の角部に曲率半径を０．１ｍｍ以下の湾曲部を設けることにより、各封止枠片の接合面が気密接合されるので、上記背景技術の課題を解決することができる。
【手続補正３】
【補正対象書類名】明細書
【補正対象項目名】００２３
【補正方法】変更
【補正の内容】
【００２３】
また、本発明による自発光平面表示装置によれば、封止枠の四隅の角部に曲率半径を０．１ｍｍ以下の湾曲部を設けることにより、各封止枠片の接合面に封着部材の膨らみが生じることなく、気密接合されるので、信頼性の高い表示パネルを具備した自発光平面表示装置が得られるという極めて優れた効果を有する。
【手続補正書】
【提出日】平成19年10月4日(2007.10.4)
【手続補正１】
【補正対象書類名】明細書
【補正対象項目名】００３４
【補正方法】変更
【補正の内容】
【００３４】
純水９７２.３ｍＬ（Ｌはリットルを表す）を３０℃に調整し、アンモニア水を１０.４ｇ（ＮＨ3濃度は２３.１質量％）添加した。この溶液中に窒化鉄Ａを１０ｇ攪拌しながら投入し、その後、Ｓｉ濃度で２質量％の珪酸ナトリウム水溶液を１７.２ｇ添加して１０分間攪拌・保持した。そのスラリーをビフネル漏斗で濾過し、濾過後のケーキを純水１Ｌで水洗した。さらに、得られた粉末を２−プロパノール４００ｍＬ中に加え、撹拌速度６３０回転／分で撹拌し、１５分間保持した。その後、再度濾過して得た粉末を８０℃の窒素雰囲気中で６時間以上乾燥し、目的とするＣ含有Ｓｉ被着窒化鉄系粉末を得た。組成分析の結果、得られた窒化鉄系粉末中のＳｉ含有量はＳｉ／Ｆｅ原子比で３.０％であった。またＣ含有量はＣ／Ｆｅ原子比で１.５％であった。この窒化鉄系粉末の特性は表２に示してある。
【手続補正２】
【補正対象書類名】明細書
【補正対象項目名】００３７
【補正方法】変更
【補正の内容】
【００３７】
〔実施例４〕
純水９７２.３ｍＬを３０℃に調整し、アンモニア水を１１.８ｇ（ＮＨ3濃度は２３.１質量％）添加した。この溶液中に前記窒化鉄Ａを１０ｇ攪拌しながら投入し、その後、Ｐ濃度で２質量％のリン酸水溶液を２８.５ｇ添加して１０分間攪拌・保持した。その後の工程は実施例１と同様の方法とし、Ｃ含有Ｐ被着窒化鉄系粉末を得た。組成分析の結果、得られた窒化鉄系粉末中のＰ含有量はＰ／Ｆｅ原子比で１.４％であった。またＣ含有量はＣ／Ｆｅ原子比で０.９％であった。この窒化鉄系粉末の特性は表２に示してある
【手続補正３】
【補正対象書類名】明細書
【補正対象項目名】００３８
【補正方法】変更
【補正の内容】
【００３８】
〔実施例５〕
純水９３１.２ｍＬを３０℃に調整し、アンモニア水を１９.５ｇ（ＮＨ3濃度は２３.１質量％）添加した。この溶液中に前記窒化鉄Ａを１０ｇ攪拌しながら投入し、その後、Ｔｉ濃度で１.８質量％の硫酸チタン水溶液を４７.１ｇ添加して１０分間攪拌・保持した。その後の工程は実施例１と同様の方法とし、Ｃ含有Ｔｉ被着窒化鉄系粉末を得た。組成分析の結果、得られた窒化鉄系粉末中のＴｉ含有量はＴｉ／Ｆｅ原子比で３.７％であった。またＣ含有量はＣ／Ｆｅ原子比で１.２％であった。この窒化鉄系粉末の特性は表２に示してある。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
遊技盤(5) 上に配設され遊技者に有利な状態と不利な状態とに変化可能な可変入賞装置(18)と、この可変入賞装置(18)を制御する主制御手段(50)と、この主制御手段(50)とは別基板構成とされ且つ主制御手段(50)から一方向通信にて送信される制御コマンドを受信する副制御手段(60,70〜72) とを備えた弾球遊技機(2) において、
前記制御コマンドは複数バイト分のコマンドデータからなり、
前記主制御手段(50)は、副制御手段(60,70〜72) に制御コマンドを送信中にコマンドデータがある状態で主電源が落ちた場合に未送信のコマンドデータを記憶保持可能なバックアップ記憶手段(39a) と、主電源の復帰後にバックアップ記憶手段(39a) に記憶している未送信のコマンドデータを読み出すデータ復帰手段(39f) とを有し、
前記主制御手段(50)から副制御手段(60,70〜72) に制御コマンドを送信中に未送信のコマンドデータがある状態で主電源が落ちた場合に、前記主制御手段(50)は、主電源の復帰後にバックアップ記憶手段(39a) に記憶されている未送信のコマンドデータをデータ復帰手段(39f) により読み出して送信し、
前記副制御手段(60,70〜72) は、少なくとも主電源が落ちたときコマンドデータを記憶保持可能なデータ記憶手段(46a) を有し、主電源の復帰後に主制御手段(50)から追加的に送信される未受信のコマンドデータを受信済みのコマンドデータに組み合わせて制御コマンドを作成し、
前記副制御手段(60,70〜72) により作成された制御コマンドが予め設定され記憶されている複数の制御コマンドのいずれにも該当しない場合には受信済みのコマンドデータを消去する、
ことを特徴とする弾球遊技機。
【手続補正２】
【補正対象書類名】明細書
【補正対象項目名】００１０
【補正方法】変更
【補正の内容】
【００１０】
請求項１の弾球遊技機は、遊技盤上に配設され遊技者に有利な状態と不利な状態とに変化可能な可変入賞装置と、この可変入賞装置を制御する主制御手段と、この主制御手段とは別基板構成とされ且つ主制御手段から一方向通信にて送信される制御コマンドを受信する副制御手段とを備えた弾球遊技機において、制御コマンドは複数バイト分のコマンドデータからなり、主制御手段は、副制御手段に制御コマンドを送信中にコマンドデータがある状態で主電源が落ちた場合に未送信のコマンドデータを記憶保持可能なバックアップ記憶手段と、主電源の復帰後にバックアップ記憶手段に記憶している未送信のコマンドデータを読み出すデータ復帰手段とを有し、主制御手段から副制御手段に制御コマンドを送信中に未送信のコマンドデータがある状態で主電源が落ちた場合に、主制御手段は、主電源の復帰後にバックアップ記憶手段に記憶されている未送信のコマンドデータをデータ復帰手段により読み出して送信し、副制御手段は、少なくとも主電源が落ちたときコマンドデータを記憶保持可能なデータ記憶手段を有し、主電源の復帰後に主制御手段から追加的に送信される未受信のコマンドデータを受信済みのコマンドデータに組み合わせて制御コマンドを作成し、副制御手段により作成された制御コマンドが予め設定され記憶されている複数の制御コマンドのいずれにも該当しない場合には受信済みのコマンドデータを消去するものである。
【手続補正３】
【補正対象書類名】明細書
【補正対象項目名】００１３
【補正方法】変更
【補正の内容】
【００１３】
ここで、前記主制御手段は、主電源が落ちた状態においても少なくとも未送信のコマンドデータを記憶保持可能なバックアップ記憶手段と、主電源の復帰後にバックアップ記憶手段に記憶している未送信のコマンドデータを読み出すデータ復帰手段とを有している。そのため、副制御手段において、主電源が落ちたために生じた未送信のコマンドデータをバックアップ記憶手段により主電源が落ちた状態においても確実に記憶保持でき、しかも主電源の復帰後には、データ復帰手段によりその未送信のコマンドデータが読み出されるため、未送信のコマンドデータを確実に送信することができる。
【手続補正４】
【補正対象書類名】明細書
【補正対象項目名】００１５
【補正方法】変更
【補正の内容】
【００１５】
また、前記副制御手段は、少なくとも主電源が落ちたときコマンドデータを記憶保持可能なデータ記憶手段を有し、主電源の復帰後に主制御手段から追加的に送信される未受信のコマンドデータを受信済みのコマンドデータに組み合わせて制御コマンドを作成する。このとき、その作成された制御コマンドが、予め設定され記憶されている複数の制御コマンドのいずれにも該当しない場合には受信済みのコマンドデータが消去される。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２１
【補正方法】変更
【補正の内容】
【００２１】
また、前記主制御手段は、主電源が落ちた状態においても少なくとも未送信のコマンドデータを記憶保持可能なバックアップ記憶手段と、主電源の復帰後にバックアップ記憶手段に記憶している未送信のコマンドデータを読み出すデータ復帰手段とを有するので、副制御手段において、主電源が落ちたために生じた未送信のコマンドデータをバックアップ記憶手段により主電源が落ちた状態においても確実に記憶保持でき、しかも主電源の復帰後には、データ復帰手段によりその未送信のコマンドデータが読み出されるため、未送信のコマンドデータを確実に送信することができる。
【手続補正１０】
【補正対象書類名】明細書
【補正対象項目名】００２３
【補正方法】変更
【補正の内容】
【００２３】
さらに、前記副制御手段は、少なくとも主電源が落ちたときコマンドデータを記憶保持可能なデータ記憶手段を有し、主電源の復帰後に主制御手段から追加的に送信される未受信のコマンドデータを受信済みのコマンドデータに組み合わせて制御コマンドを作成するので、受信済みのデータを再受信することなく、未受信のコマンドデータだけを追加的に受信するだけで、制御コマンドを効率よく作成することができる。このとき、その作成された制御コマンドが予め設定され記憶されている複数の制御コマンドのいずれにも該当しない場合には受信済みのコマンドデータを消去する。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
少なくともポリヘドリンプロモーターおよびp10プロモーターを有する昆虫発現用遺伝子ベクター。
【請求項２】
前記昆虫がカイコである請求項１に記載の昆虫発現用遺伝子ベクター。
【請求項３】
少なくとも２種の外来タンパク質発現遺伝子を同時に含むことを特徴とする請求項１又は２に記載の昆虫発現用遺伝子ベクター。
【請求項４】
配列番号５および配列番号８で示される塩基配列を含むイヌインターロイキン１２発現用遺伝子ベクターであることを特徴とする請求項１又は２に記載の昆虫発現用遺伝子ベクター。
【請求項５】
請求項１〜４のいずれかに記載の昆虫遺伝子発現ベクターにより作製された遺伝子組換えバキュロウイルスを用いて遺伝子産物を生産することを特徴とする遺伝子産物製造法。
【請求項６】
遺伝子組換えバキュロウイルスが組換えカイコ核多角体病ウイルスであることを特徴とする請求項５記載の遺伝子産物製造法。
【請求項７】
遺伝子組換えしたバキュロウイルスをカイコ樹立細胞中またはカイコ生体中で増殖させることを特徴とする請求項５または６記載の遺伝子産物製造法。
【手続補正２】
【補正対象書類名】明細書
【補正対象項目名】０００９
【補正方法】変更
【補正の内容】
【０００９】
少なくともポリヘドリンプロモーターおよびp10プロモーターを有する昆虫発現用遺伝子ベクター、及び該昆虫遺伝子発現ベクターにより作製された遺伝子組換えバキュロウイルスを用いて遺伝子産物を生産することを特徴とする遺伝子産物製造法。
【手続補正書】
【提出日】平成19年4月19日(2007.4.19)
【手続補正１】
【補正対象書類名】明細書
【補正対象項目名】発明の名称
【補正方法】変更
【補正の内容】
【発明の名称】薬剤吐出装置
【手続補正２】
【補正対象書類名】明細書
【補正対象項目名】特許請求の範囲
【補正方法】変更
【補正の内容】
【特許請求の範囲】
【請求項１】利用者に吸入口を介して吸入させるための薬剤を吐出する薬剤吐出装置であって、前記薬剤を所定の空間に供給すべく吐出させる吐出ヘッドを備えた収容器を収納する為の収納部を備え、該収納部に前記収容器が収納されたときの吐出口の位置と吸入口との間に、吸気状態では前記空間を経る吸気経路を確立し、呼気状態では前記空間を避ける呼気経路を確立する為の気流制御手段を備えたことを特徴とする薬剤吐出装置。
【請求項２】
前記気流制御手段は、
前記吐出口と前記吸入口の間に設けられ、利用者が吸入するときに開く第一の弁と、
前記第一の弁よりも前記吸入口側に設けられ、利用者が呼気するときに開く第二の弁と、
を有する請求項１に記載の薬剤吐出装置。
【請求項３】
前記第一の弁の開閉状態を検出する検出器を有し、
前記検出器により前記第一の弁が開いたことを検知されたときに前記薬剤の吐出を開始し、
前記検出器により前記第一の弁が閉じ始めたことを検知されたときに前記薬剤の吐出を停止する請求項２に記載の薬剤吐出装置。
【請求項４】
利用者の呼吸を検出するための圧力センサ、前記第一の弁の開閉を制御する第一の弁駆動部、前記第二の弁の開閉を制御する第二の弁駆動部を有し、
前記圧力センサにより利用者の吸気が検出されたときに、前記第一の弁駆動部によって前記第一の弁が開き、前記圧力センサにより利用者の呼気が検出されたときに、前記第二の弁制御部によって前記第二の弁が開く請求項２又は３に記載の薬剤吐出装置。
【請求項５】
前記第一の弁及び前記第二の弁が、前記吸入口と一体として構成されており、当該薬剤吐出装置から取り外し可能である請求項２乃至４のいずれかに記載の薬剤吐出装置。
【手続補正３】
【補正対象書類名】明細書
【補正対象項目名】０００６
【補正方法】変更
【補正の内容】
【０００６】    【課題を解決するための手段】
上記目的を達成する本発明の薬剤吐出装置は、利用者に吸入口を介して吸入させるための薬剤を吐出する薬剤吐出装置であって、前記薬剤を所定の空間に供給すべく吐出させる吐出ヘッドを備えた収容器を収納する為の収納部を備え、該収納部に前記収容器が収納されたときの吐出口の位置と吸入口との間に、吸気状態では前記空間を経る吸気経路を確立し、呼気状態では前記空間を避ける呼気経路を確立する為の気流制御手段を備えたことを特徴とする。こうした構成によれば、呼気に乗って逆流する薬液滴や水蒸気などが収納部に収納される収容器の吐出口面に付着しないようにさせられるので、付着液滴等が吐出口を閉塞させて不吐出を誘発させる様なことがなくなり、安定して薬剤を吐出する動作信頼性の高い薬剤吐出装置を実現できる。